(57)【要約】【課題】  合成出力した固視目標位置を被検眼の撮像倍率に応じて表示装置の適正な位置に移動する。【解決手段】  結像レンズを移動させて、被検眼Ｅの眼底像Ｐｒの結像倍率を変化させた状態を示し、（ａ）から（ｂ）へと拡大した場合に、（ａ）ではマークＭ１と被検眼黄班部Ｐｏの略中心が一致しているが、（ｂ）ではマークＭ１から黄班部Ｐｏがずれたことになる。このときに必要なマークＭ１の移動量はマークＭ１の位置が中心からａの距離にある場合に、撮像倍率がｎ倍であれば中心からｎ・ａとする。【選択図】  図３
2012120890.tif 000002
【特許請求の範囲】
【請求項１】
可変倍率で被検眼を撮像する撮像手段と、被検眼に対して任意の位置に固視標を提示する固視標提示手段と、前記撮像手段で撮像した被検眼の像と前記固視標提示手段による固視目標位置を示すマークとを合成して表示する表示手段と、前記撮像手段の倍率に応じて前記表示手段上の前記マークの表示位置又は前記固視標提示手段の前記固視標の提示位置を補正する制御手段とを有することを特徴とする眼科撮影装置。
【請求項２】
前記固視標提示手段は液晶板とした請求項１に記載の眼科撮影装置。
【請求項３】
前記固視標提示手段はＬＥＤを複数個配列した光源とした請求項１に記載の眼科撮影装置。
【請求項４】
前記撮像手段は黄班部を含む被検眼の眼底画像を撮像する請求項１又は３に記載の眼科撮影装置。
【請求項５】
前記撮像手段の倍率を検出する検出器を有する請求項１又は４に記載の眼科撮影装置。
【請求項６】
可変倍率で被検眼を撮像する撮像手段と、被検眼に対して任意の位置に固視標を提示する固視標提示手段と、前記撮像手段で撮像した被検眼の像と前記固視標提示手段による固視目標位置を示すマークとを合成して表示する表示手段と、前記撮像手段での倍率を拡大して前記表示手段に被検眼の黄班部が表示できない場合に、黄班部が存在する方向を示すマークを前記表示手段に表示する制御手段とを有する眼科撮影装置。
【発明の詳細な説明】
【技術分野】
【０００１】
本発明は、眼科医院や集団検診等で使用される眼科撮影装置に関するものである。
【背景技術】
【０００２】
従来から、被検眼を所望の撮影部位へと誘導するための光源を設け、被検眼にこの光源を固視させることによって被検眼の所望部位を撮影する眼底カメラが、例えば特開平８−２５２２２４号公報等で知られている。
図７はこの従来の眼底カメラの構成を示し、被検眼Ｅと対向している対物レンズ１の背後の光路上には、中央部に開口を有する孔あきミラー２、フォーカスレンズ３、撮影レンズ４、回動可能な回動ミラー５、フィールドレンズ９、視野絞り１０、結像レンズ１１、撮像素子１２を配置する。回動ミラー５の反射方向には、固視光学系としてリレーレンズ６、被検眼Ｅを固視させるための任意の位置に点灯可能な液晶板７、光源８を配置する。
また、孔あきミラー２の入射方向の光路上には、レンズ１３、リング絞り１４、光源１５を配置する。なお、リング絞り１４はレンズ１３に関して孔あきミラー２と略共役に配置する。撮像素子１２の出力は制御回路１６に接続し、制御回路１６には、テレビモニタ１７、撮影スイッチ１８、固視標移動スイッチ１９を接続する。ここで、テレビモニタ１７の領域１７ａは被検眼Ｅの略視野内である。
オペレータは被検眼Ｅの所望部位を撮影するために、液晶板７の所望の位置を点灯する。このとき、液晶板７の位置情報は電気信号に変換され、その情報に基づいた位置にマークＭ１を発生させ、図８に示すようにテレビモニタ１７の観察画面上に合成してオペレータに目視させる。また、所望部位を変更する場合は、例えば十字キー等の固視標移動スイッチ１９を使用して、液晶板７の点灯位置を移動させる。このとき、観察画面上のマークＭ１も液晶板７の点灯移動に連動して画面上を移動する。
【発明の概要】
【発明が解決しようとする課題】
【０００３】
しかしながら上述の従来例においては、被検眼Ｅの撮像倍率を変更した場合に、被検画像は表示装置上で大きさが変化するが、表示装置に合成出力された固視目標位置は、倍率変更の前後で何らの変化もしないため、被検眼Ｅの黄班部と固視目標位置がずれてしまう。この状態で、再度被検眼Ｅを誘導する場合には、黄班部と固視目標位置がずれているので、オペレータは誘導をし難いという問題点がある。
また、被検眼像を拡大し乳頭部を画面の中心にする場合などは、黄班部は表示画面では表示範囲外になってしまうため、オペレータは被検眼Ｅに対する固視誘導をどの方向に移動させればよいか、判断し難いという問題もある。
本発明の目的は、上述の課題を解決し、表示装置に合成出力した固視目標位置を被検眼の撮像倍率に応じて適正な位置に移動可能な眼科撮影装置を提供することにある。
【課題を解決するための手段】
【０００４】
上記目的を達成するための請求項１に係る本発明は、可変倍率で被検眼を撮像する撮像手段と、被検眼に対して任意の位置に固視標を提示する固視標提示手段と、前記撮像手段で撮像した被検眼の像と前記固視標提示手段による固視目標位置を示すマークとを合成して表示する表示手段と、前記撮像手段の倍率に応じて前記表示手段上の前記マークの表示位置又は前記固視標提示手段の前記固視標の提示位置を補正する制御手段とを有することを特徴とする眼科撮影装置である。
請求項２に係る本発明は、前記固視標提示手段は液晶板とした請求項１に記載の眼科撮影装置である。
請求項３に係る本発明は、前記固視標提示手段はＬＥＤを複数個配列した光源とした請求項１に記載の眼科撮影装置である。
請求項４に係る本発明は、前記撮像手段は黄班部を含む被検眼の眼底画像を撮像する請求項１又は３に記載の眼科撮影装置である。
請求項５に係る本発明は、前記撮像手段の倍率を検出する検出器を有する請求項１又は４に記載の眼科撮影装置である。
請求項６に係る本発明は、可変倍率で被検眼を撮像する撮像手段と、被検眼に対して任意の位置に固視標を提示する固視標提示手段と、前記撮像手段で撮像した被検眼の像と前記固視標提示手段による固視目標位置を示すマークとを合成して表示する表示手段と、前記撮像手段での倍率を拡大して前記表示手段に被検眼の黄班部が表示できない場合に、黄班部が存在する方向を示すマークを前記表示手段に表示する制御手段とを有する眼科撮影装置である。
【発明の効果】
【０００５】
以上説明したように本発明に係る眼科撮影装置は、被検眼の撮像倍率に応じて、被検眼像と合成表示した固視目標位置を合致させることができるので、被検眼を誘導し易く効率の良い撮影が行うことができる。
【０００６】
また、拡大撮影され黄班部がない撮影像においても、黄班部の方向を指示することが可能となり、固視誘導が最小限の移動で済み、効率良く眼科撮影を実行できる。
【図面の簡単な説明】
【０００７】
【図１】実施の形態の眼科撮影装置の構成図である。
【図２】固視目標の正面図である。
【図３】被検眼観察画面の説明図である。
【図４】観察画面での固視目標の説明図である。
【図５】フローチャート図である。
【図６】被検眼観察画面の説明図である。
【図７】従来例の眼科撮影装置の側面図である。
【図８】従来例の被検眼観察画面の説明図である。
【発明を実施するための形態】
【０００８】
本発明を図１〜図６に図示の実施の形態に基づいて詳細に説明する。
【０００９】
図１は実施の形態の構成図であり、従来例の図７と同一の符号は同一部材を示している。結像レンズ１１の位置を検出するための検出器２１を設け、検出器２１の出力を制御装置１６に接続する。
【００１０】
光源１５を発した光束は、リング絞り１４の開口部、レンズ１３を通り、孔あきミラー２のミラー部により左方に反射され、対物レンズ１を通り被検眼Ｅの眼底Ｅｒを照明する。眼底Ｅｒでの反射光束は、瞳孔Ｅｐ、対物レンズ１、孔あきミラー２の開口部、フォーカスレンズ３、撮影レンズ４、フィールドレンズ９を通り、視野絞り１０の近傍に眼底像として一旦結像し、結像レンズ１１により撮影素子１２に再結像する。撮影素子１２に結像した眼底像Ｐｒはビデオ信号に変換され、制御回路１６を介してテレビモニタ１７に映出される。
【００１１】
オペレータはこのテレビモニタ１７に映出されている眼底動画像を観察し、フォーカスレンズ３を調整して眼底像Ｐｒの照準を合わせ、更に被検眼Ｅの所望部位を撮影するため固視標移動スイッチ１９を操作する。このときの様子は、図８で示したテレビモニタ画面と同様である。所望部位に被検眼Ｅを誘導した後に、撮影スイッチ１８を押して光源１５を発光させ、眼底像Ｐｒを制御回路１６の内部の記憶手段に静止画像として記録する。このとき、液晶板７の固視標となる開口部７ａと遮光部７ｂの位置関係は、図２に示すようになっている。
【００１２】
図３は図１における結像レンズ１１を矢印方向へ移動させて、被検眼Ｅの眼底像Ｐｒの結像倍率を変化させた状態を示している。図３の（ａ）から（ｂ）へと拡大した場合に、（ａ）ではマークＭ１と被検眼黄班部Ｐｏの略中心が一致しているが、（ｂ）ではマークＭ１から黄班部Ｐｏがずれたことになる。
【００１３】
図４はこのときに必要なマークＭ１の移動量を示し、図３（ａ）でのマークＭ１の位置が、中心からａの距離にある場合に撮像倍率がｎ倍であれば、図４に示すように中心からｎ・ａの位置に移動すればよい。
【００１４】
図５はこれら一連の動作を示すフローチャート図である。ステップＳ１で初期条件を読み込み、ステップＳ２で被検眼Ｅのアライメントを行う。ステップＳ３で結像レンズ１１の移動量を検出器２１によって検知し、それによって撮像倍率を検出する。ステップＳ４でこの撮像倍率が前回の撮影倍率に対して変化しているかどうか判断し、変化していればステップＳ５で倍率を演算し、ステップＳ６でその倍率に応じた移動量だけマークＭ１が移動するように、マーク表示位置を補正する。
【００１５】
倍率変更後の固視誘導においても、この倍率を加味してマークＭ１を移動させることが好ましい。また本実施の形態では、倍率変更を結像レンズ１１の光軸方向の移動により行っているが、結像レンズ１１の挿脱によって行うことも可能である。
【００１６】
変形例として、図３（ｂ）において、マークＭ１の位置に被検眼黄班部Ｐｏを誘導し、テレビモニタ１７上で両者の中心を一致させるように、液晶板７の開口部７ａとなる画素を変化させ、固視標を移動させることもできる。
【００１７】
眼底像Ｐｒの乳頭部Ｐｎ等の拡大撮影をする場合に、被検眼Ｅの黄班部Ｐｏは表示画面の表示範囲外にあるために、一見しただけでは黄班部Ｐｏがどの位置にあるのかが判別し難い。そこで図６に示すように、方向を示すマークＭ２を表示させ、黄班部Ｐｏの存在する方向を示すようにしている。
【００１８】
本実施の形態では、マークＭ２は矢印表示を行っているが、オペレータに知らせる表示は、「Ｒ、Ｌ」等の文字情報でもよいし、電気的合成画像以外の例えば光学的に指標を合成して表示することもできる。
【符号の説明】
【００１９】
１  対物レンズ
７  液晶板
９  固視目標移動スイッチ
１１  結像レンズ
１２  撮影素子
１６  制御回路
１７  テレビモニタ
２１  位置検出器
【図１】
2012120890.tif 000003
【図２】
2012120890.tif 000004
【図３】
2012120890.tif 000005
【図４】
2012120890.tif 000006
【図５】
2012120890.tif 000007
【図６】
2012120890.tif 000008
【図７】
2012120890.tif 000009
【図８】
2012120890.tif 000010
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
被検眼を撮像する撮像手段と、
前記撮像手段によって撮像される前記被検眼の黄斑部を含む眼底動画像と、固視標の位置を示すマークとを表示手段に表示させる表示制御手段と、
前記表示手段に表示される前記眼底動画像を拡大した場合に、該拡大の略中心位置から前記マークの表示位置までの距離と該拡大の倍率とに基づいて前記表示手段に表示される前記マークの表示位置を補正する補正手段と、
を有することを特徴とする眼科撮影装置。
【請求項２】
前記拡大の略中心位置は、前記撮像手段が設けられた光学系の光軸に対応する位置であることを特徴とする請求項１に記載の眼科撮影装置。
【請求項３】
前記表示制御手段が、前記表示手段に表示される前記眼底動画像を拡大した場合に、前記表示手段における表示範囲の長手方向には前記撮像手段によって撮像される前記眼底動画像の全てを表示させ、且つ前記表示範囲の短手方向には前記撮像手段によって撮像される前記眼底動画像の一部を表示させることを特徴とする請求項１あるいは２に記載の眼科撮影装置。
【請求項４】
前記撮像手段が、前記眼底動画像の拡大に対応する大きさの前記被検眼の眼底静止画像を撮像することを特徴とする請求項１乃至３のいずれか１項に記載の眼科撮影装置。
【請求項５】
前記撮像手段が設けられた光学系の光路上を移動可能な結像レンズを有し、
前記撮像手段が、前記眼底動画像を拡大した際の前記結像レンズの位置で前記眼底静止画像を撮像することを特徴とする請求項４に記載の眼科撮影装置。
【請求項６】
前記結像レンズの移動量を検出し、前記移動量に基づいて前記撮像手段の倍率を検出する検出手段を有することを特徴とする請求項５に記載の眼科撮影装置。
【請求項７】
前記被検眼に対して任意の位置に前記固視標を提示する固視標表示手段を有することを特徴とする請求項１乃至６のいずれか１項に記載の眼科撮影装置。
【請求項８】
前記マークを発生する発生手段と、
前記固視標の位置に対応する前記画像上に前記マークを合成して前記表示手段に表示させる制御手段と、
を有することを特徴とする請求項１乃至７のいずれか１項に記載の眼科撮影装置。
【請求項９】
前記表示制御手段が、前記表示手段に表示される前記眼底動画像の拡大により前記表示手段における表示範囲に前記黄班部が含まれない場合に、該黄班部が存在する方向を示すマークを前記表示手段に表示させることを特徴とする請求項１乃至８のいずれか１項に記載の眼科撮影装置。
【請求項１０】
前記表示制御手段が、前記眼底動画像と前記方向を示すマークとを電気的に合成して前記表示手段に表示させることを特徴とする請求項９に記載の眼科撮影装置。
【請求項１１】
被検眼の乳頭部に関する画像を取得する取得手段と、
前記乳頭部に関する画像の表示範囲外にある部位の方向を示す表示形態を表示手段に表示させる表示制御手段と、
を有することを特徴とする眼科撮影装置。
【請求項１２】
前記部位は、前記被検眼の黄斑部であり、
前記表示形態は、前記黄斑部の存在する方向を示すマークであることを特徴とする請求項１１に記載の眼科撮影装置。